(57)【要約】      （修正有）【課題】アーム部の補強およびデザイン性の向上を図ることができ、加えて、アーム部を共有の部品として使用することができる魚釣用リールのハンドルおよびハンドル用のプレートを提供する。【解決手段】ハンドル１０は、リール本体１のハンドル軸に螺合部材５で連結されるアーム部１１を備えてる。ハンドル１０は、アーム部１１に取り付けられるプレートを備えている。プレートは、螺合部材５の外周部の周りに配置される第一プレート２０を備える。プレートは、第一プレート２０に重ねて取り付けられ、螺合部材５の外周部の周りに配置される第二プレート３０を備える。第一プレート２０および第二プレート３０の少なくともいずれか一方は、螺合部材５の外周部に回り止め係合する係合部を備えている構成とした。【選択図】図１
2018161099.tif 000002
【特許請求の範囲】
【請求項１】
リール本体のハンドル軸に螺合される螺合部材で連結されるアーム部を備えた魚釣用リールのハンドルであって、
前記アーム部に取り付けられるプレートを備え、
前記プレートは、
前記螺合部材の外周部の周りに配置される部分を有する第一プレートと、
前記第一プレートに重ねて取り付けられ、前記螺合部材の外周部の周りに配置される部分を有する第二プレートと、を備え、
前記第一プレートおよび前記第二プレートの少なくともいずれか一方は、前記螺合部材の外周部に回り止め係合する係合部を備えていることを特徴とする魚釣用リールのハンドル。
【請求項２】
前記第二プレートは、前記アーム部に固定部材で固定されるようになっており、
前記第一プレートは、前記第二プレートの固定によって、前記アーム部に圧接されることを特徴とする請求項１に記載の魚釣用リールのハンドル。
【請求項３】
前記第一プレートおよび前記第二プレートの両方が前記螺合部材の外周部に回り止め係合することを特徴とする請求項１または請求項２に記載の魚釣用リールのハンドル。
【請求項４】
前記第一プレートおよび前記第二プレートは、相互に異なる外形状を備えており、
前記第一プレートに前記第二プレートが重ね合わされた状態で、前記第一プレートは、前記第二プレートの側方に露出する部分を備えていることを特徴とする請求項１から請求項３のいずれか１項に記載の魚釣用リールのハンドル。
【請求項５】
魚釣用リールのハンドル軸にアーム部が螺合部材で連結されるハンドルに適用されるハンドル用のプレートであって、
前記螺合部材の外周部の周りに配置される部分を有する第一プレートおよび第二プレートを備え、
前記第一プレートおよび前記第二プレートの少なくともいずれか一方は、前記螺合部材の外周部に回り止め係合する係合部を備えていることを特徴とするハンドル用のプレート。
【発明の詳細な説明】
【技術分野】
【０００１】
本発明は魚釣用リールのハンドルおよびそのハンドル用のプレートに関する。
【背景技術】
【０００２】
従来、両軸受型の魚釣用リールでは、リール本体の一側に取り付けられたハンドルを回転操作することで巻取駆動機構が駆動され、この駆動によってリール本体に支持されたスプールが回転駆動する。
【０００３】
ハンドルは、構成部品のひとつとしてアーム部を備えている。アーム部は、スプールを巻取駆動するためのハンドル軸の端部に回り止め嵌合され、ハンドル軸の端部に螺合するねじ部材で締め付け固定されている（例えば、特許文献１参照）。
【０００４】
前記した魚釣用リールでは、高荷重でハンドルを巻き取り操作をする場合に、アーム部におけるハンドル軸との連結部分に、曲げ方向やねじり方向の不規則な力が集中的に作用する。
そのため、従来では、製品仕様（リールの大きさ、釣種、価格帯等）に対応したハンドルの強度を確保するために、アーム部の板厚を肉厚に設計したり、高強度材料の構成にしたりしていた。
【先行技術文献】
【特許文献】
【０００５】
【特許文献１】特開２００１−１４５４４６号公報
【発明の概要】
【発明が解決しようとする課題】
【０００６】
前記したように、アーム部の板厚を肉厚に設計することでハンドルの強度を確保することが可能である。しかしながら、そうするとハンドルの重量化を来してしまい、魚釣用リール全体の重量バランスが崩れるおそれがあった。魚釣用リール全体の重量バランスが崩れてしまうと、操作性に影響を来したり、魚釣用リールの携帯性が低下したりするおそれがあった。また、アーム部のデザイン性が損なわれるおそれもあった。
また、アーム部の板厚を肉厚に設計した場合には、他の魚釣用リールとの互換性が損なわれるおそれがあり、部品の共有性が低下するという課題もあった。
【０００７】
また、アーム部を高強度材料で構成した場合にも、コストアップやハンドルの重量化を来すおそれがあった。
【０００８】
本発明は、前記課題を解決し、アーム部の補強およびアーム部のデザイン性の向上を図ることができ、加えて、アーム部を共有の部品として使用することができる魚釣用リールのハンドルおよびそのハンドル用のプレートを提供することを課題とする。
【課題を解決するための手段】
【０００９】
このような課題を解決する本発明の魚釣用リールのハンドルは、リール本体のハンドル軸に螺合される螺合部材で連結されるアーム部を備えた魚釣用リールのハンドルである。ハンドルは、前記アーム部に取り付けられるプレートを備えている。前記プレートは、前記螺合部材の外周部の周りに配置される部分を有する第一プレートを備える。また、プレートは、前記第一プレートに重ねて取り付けられ、前記螺合部材の外周部の周りに配置される部分を有する第二プレートを備える。前記第一プレートおよび前記第二プレートの少なくともいずれか一方は、前記螺合部材の外周部に回り止め係合する係合部を備えていることを特徴とする。
【００１０】
この魚釣用リールのハンドルによれば、第一プレートおよび第二プレートの２つのプレートによって、ハンドル軸に連結されるアーム部の連結部分が補強される。つまり、アーム部の板厚を肉厚に設計することなく、ハンドル軸に連結されるアーム部の連結部分を補強することができる。つまり、補強したい部分だけ好適に補強することができる。これにより、魚釣用リール全体の重量バランスが崩れるのを好適に防止することができる。また、良好な操作性を維持できるとともに、魚釣用リールの携帯性にも優れる。
【００１１】
また、この魚釣用リールのハンドルでは、第一プレートおよび第二プレートの少なくともいずれか一方が、係合部により螺合部材の外周部に回り止め係合する。したがって、螺合部材の緩みを防止してハンドル軸に連結されるアーム部の連結部分をさらに補強できる。これにより、高荷重の巻き取り操作時に不規則な力が連結部分に集中して作用したとしても、アーム部の変形を好適に抑制することができる。したがって、良好な魚釣操作性を長期間に亘って維持することができる。
【００１２】
また、第一プレートおよび第二プレートは、アーム部の装飾部材としても機能するため、ハンドルのデザイン性が向上する。例えば、第一プレートおよび第二プレートに彩色を施すことにより、アーム部のデザイン性がさらに向上する。
【００１３】
また、２つのプレートの仕様を適宜設定することにより、製品仕様（リールの大きさ、釣種、価格帯等）に対応したアーム部の強度を好適に確保することができる。したがって、アーム部の部品の共有化を図りつつ、製品のバリエーションが多様に実現される。
【００１４】
また、前記した魚釣用リールのハンドルにおいて、前記第二プレートが、前記アーム部にねじ止め固定されるように構成できる。この場合には、前記第二プレートを前記アーム部にねじ止め固定することで、前記第二プレートにより前記第一プレートが前記アーム部に圧接固定されるのがよい。このように構成することで、両プレートの取り付け性が向上し、生産性が高まる。
【００１５】
また、前記した魚釣用リールのハンドルにおいて、前記第一係合部および前記第二係合部の両方が前記螺合部材の外周部に回り止め係合するように構成できる。このように構成することで、ハンドル軸に連結されるアーム部の連結部分をより一層補強できる。これにより、高荷重の巻き取り操作時に不規則な力が連結部分に集中して作用したとしても、アーム部の変形をより好適に抑制することができる。
【００１６】
また、前記した魚釣用リールのハンドルにおいて、前記第一プレートおよび前記第二プレートは、相互に異なった外形状を備えるように構成できる。この場合には、前記第一プレートに前記第二プレートが重ね合わされた状態で、前記第一プレートは、前記第二プレートの側方に露出する部分を備えているのがよい。このように構成することで、第一プレートに重なる第二プレートの取付状態が安定する。また、第一プレートは、第二プレートの側方に露出する部分を備えるので、アーム部のデザイン性が向上する。
【００１７】
また、本発明のハンドル用のプレートは、魚釣用リールのハンドル軸にアーム部が螺合部材で連結されるハンドルに適用されるものである。プレートは、前記螺合部材の外周部の周りに配置される部分を有する第一プレートおよび第二プレートを備える。前記第一プレートおよび前記第二プレートの少なくともいずれか一方は、前記螺合部材の外周部に回り止め係合する係合部を備えていることを特徴とする。
【００１８】
このハンドル用のプレートでは、第一プレートおよび第二プレートの２つのプレートによって、ハンドル軸に連結されるアーム部の連結部分を補強することができる。つまり、アーム部の板厚を肉厚に設計することなく、ハンドル軸に連結されるアーム部の連結部分を補強することができる。これにより、魚釣用リール全体の重量バランスが崩れるのを好適に防止することができる。また、良好な操作性を維持できるとともに、魚釣用リールの携帯性にも優れる。
【００１９】
また、このハンドル用のプレートでは、第一プレートおよび第二プレートの少なくともいずれか一方が、係合部により螺合部材の外周部に回り止め係合する。したがって、螺合部材の緩みを防止してハンドル軸に連結されるアーム部の連結部分をさらに補強できる。これにより、高荷重の巻き取り操作時に不規則な力が連結部分に集中して作用したとしても、アーム部の変形を好適に抑制することができる。したがって、良好な魚釣操作性を長期間に亘って維持することができる。
【００２０】
また、第一プレートおよび第二プレートは、アーム部の装飾部材としても機能するため、アーム部のデザイン性が向上する。例えば、第一プレートおよび第二プレートに彩色を施すことにより、アーム部のデザイン性がさらに向上する。
【００２１】
また、２つのプレートの仕様を適宜設定することにより、製品仕様（リールの大きさ、釣種、価格帯等）に対応したアーム部の強度を好適に確保することができる。したがって、アーム部の部品の共有化を図りつつ、製品のバリエーションが多様に実現される。
【発明の効果】
【００２２】
本発明によれば、アーム部の補強およびアーム部のデザイン性の向上を図ることができ、加えて、アーム部を共有の部品として使用することができる魚釣用リールのハンドルおよびそのハンドル用のプレートが得られる。
【図面の簡単な説明】
【００２３】
【図１】本発明の第１実施形態に係る魚釣用リールのハンドルが適用される魚釣用リールを示す斜視図である。
【図２】（ａ）はハンドルの側面図、（ｂ）は第一プレートの側面図、（ｃ）は第二プレートの側面図である。
【図３】ハンドル軸とアーム部との連結部分を示す拡大横断面図である。
【図４】（ａ）は第一プレートの取付状態を示す側面図、（ｂ）は第二プレートの取り付け状態を示す側面図である。
【図５】ハンドルの分解斜視図である（ツマミ部を除く）。
【図６】本発明の第２実施形態に係る魚釣用リールのハンドルが適用される魚釣用リールを示す斜視図である。
【図７】（ａ）はハンドルの側面図、（ｂ）は第一プレートの側面図、（ｃ）は第二プレートの側面図である。
【図８】（ａ）は第一プレートの取付状態を示す側面図、（ｂ）は第二プレートの取り付け状態を示す側面図である。
【図９】ハンドルの分解斜視図である（ツマミ部を除く）。
【図１０】本発明の第３実施形態に係る魚釣用リールのハンドルが適用される魚釣用リールを示す斜視図である。
【図１１】（ａ）はハンドルの側面図、（ｂ）は第一プレートの側面図、（ｃ）は第二プレートの側面図である。
【図１２】（ａ）はハンドルの横断面図（一部断面）、（ｂ）はアーム部に設けられた凹部を示すアーム部の斜視図である。
【図１３】ハンドルの分解斜視図である（ツマミ部を除く）。
【発明を実施するための形態】
【００２４】
以下、本発明に係る魚釣用リールのハンドルの実施形態について図面を参照して説明する。以下では、両軸受型の魚釣用リールに適用した場合を例として説明するが、本発明が適用される魚釣用リールの種類を限定する趣旨ではない。以下の説明において、「前後」「左右」「上下」を言うときは、図１に示した方向を基準とする。各実施形態において、同様の部分には同一の符号を付し重複する説明は省略する。
【００２５】
（第１実施形態）
図１に示すように、魚釣用リールは、図示しない左右フレームを備えたリール本体１を有している。リール本体１の後部において、左右フレーム間には図示しないスプール軸が回転可能に支持されている。スプール軸には釣糸が巻回されるスプール２が一体的に固定されている。
【００２６】
リール本体１の右側部には、ハンドル軸３（図３、図５参照、以下同じ）を介してハンドル１０が回転可能に取り付けられている。リール本体１の右側部内には、ハンドル１０の回転駆動力をハンドル軸３からスプール軸に伝達する公知の駆動力伝達機構が配設されている。また、同じく右側部内には、スプール軸を動力伝達状態と動力遮断状態に切り換える公知のクラッチ機構が配設されている。クラッチ機構は、スプール２の後方の操作部材４を押し下げ操作することで、クラッチＯＮ状態からクラッチＯＦＦ状態に切り換える。また、クラッチ機構は、ハンドル１０を回転操作することによって、クラッチＯＦＦ状態からクラッチＯＮ状態に復帰される。
【００２７】
ハンドル１０は、アーム部１１と、アーム部１１の両端部に取り付けられるツマミ部１２，１２と、を備えている。アーム部１１は、金属製の単一の板状部材をプレス成形することで得られる。アーム部１１は、図１、図２（ａ）、図５に示すように、平板部１３と、平板部１３の前後に連続する傾斜部１４，１４と、傾斜部１４，１４の前後のそれぞれに連続するツマミ取付部１５，１５と、を備えている。
【００２８】
平板部１３は、平板状を呈し前後方向に延在する部分である（図３参照）。平板部１３の前後方向の中央部には、図３、図５に示すように、ハンドル軸３の先端部３ａが挿通される挿入孔１３ａが形成されている。挿入孔１３ａの断面形状は、図５に示すように、ハンドル軸３の先端部３ａの断面形状に対応して略長四角形状に形成されている。
【００２９】
ハンドル軸３にアーム部１１を取り付ける際には、ハンドル軸３の先端部３ａをアーム部１１の挿入孔１３ａに挿通する。そして、先端部３ａに設けられた螺着穴３ｂに螺合部材としてのねじ部材５を螺合し、頭部５ａを締め付ける。これにより、ハンドル軸３にアーム部１１が連結される。このように、アーム部１１は、平板部１３を介してハンドル軸３に支持され、平板部は、ハンドル軸３に対する連結部分として機能している。
ねじ部材５の頭部５ａは、図２（ａ）に示すように、側面視で正六角形である。頭部５ａの軸方向の肉厚は、図３に示すように、薄肉となっている。これにより、アーム部１１の右側方への頭部５ａの突出量が小さくなっている。
【００３０】
平板部１３は、図３、図５に示すように、挿入孔１３ａを挟んで前後の対称位置に形成される一対のねじ穴１３ｂ，１３ｂを備えている。
【００３１】
平板部１３の平らな右側面（外側面）１３ｃには、ハンドル用のプレートが取り付けられている。ハンドル用のプレートは、図１、図２（ａ）、図３に示すように、第一プレート２０および第二プレート３０の２枚のプレートからなる。
【００３２】
第一プレート２０は、図３、図４（ａ）に示すように、平板部１３の右側面１３ｃに当接する状態に取り付けられるプレートである。第一プレート２０は、図２（ｂ）に示すように、内側に穴部２５が形成された環状の第一基部２１と、第一基部２１に連続して前方に膨出する前膨出部２２と、第一基部２１に連続して後方に膨出する後膨出部２３と、を備えている。
【００３３】
第一基部２１は、図４（ａ）に示すように、ねじ部材５の頭部５ａの周りに配置される部位である。穴部２５の内形状は、ねじ部材５の頭部５ａの正六角形に適合して係合する十二個の溝部２５ａを備えた十二角形状（二重六角形状）とされている（図２（ｂ）参照）。第一基部２１は、ねじ部材５の頭部５ａに穴部２５を係合させている。これにより、ねじ部材５の頭部５ａが第一基部２１によって回り止めされ、ねじ部材５の緩みが規制されている。
なお、穴部２５（溝部２５ａ）は、特許請求の範囲における「係合部」に相当する。
【００３４】
第一基部２１の上部２１ａおよび下部２１ｂは、図４（ａ）に示すように、平板部１３の上縁部および下縁部の緩やかな円弧形状（図５参照）に倣う形状とされている。上部２１ａは、平板部１３の上縁部よりも上方に幾分突出している（図１参照）。また、下部２１ｂは、平板部１３の下縁部よりも下方に幾分突出している（図１参照）。このような上部２１ａおよび下部２１ｂを備えることで、アーム部１１の平板部１３は、上下方向に膨らみをもたせた外観となっている。これによりデザイン性が向上している。
【００３５】
前膨出部２２は、図４（ａ）に示すように、アーム部１１の前方へ向けて膨出している。後膨出部２３は、アーム部１１の後方へ向けて膨出している。
前膨出部２２および後膨出部２３には、アーム部１１の平板部１３のねじ穴１３ｂ，１３ｂ（図５参照）に対応する位置にねじ挿通穴２２ｂ，２３ｂが形成されている。
【００３６】
なお、図２（ａ）、４（ｂ）に示すように、第一プレート２０の第一基部２１、前膨出部２２および後膨出部２３の一部は、これに重ねられる第二プレート３０の上下側方にはみ出して露出するデザインとされている。
【００３７】
第二プレート３０は、図４（ｂ）に示すように、第一プレート２０に重ねられて第一プレート２０の右側面２０ｃに当接する状態に取り付けられるプレートである。第二プレート３０は、図２（ｃ）に示すように、内側に穴部３５が形成された環状の第二基部３１と、第二基部３１の前側に延在する前延在部３２と、第二基部３１の後側に延在する後延在部３３とを備えている。
【００３８】
第二基部３１は、図４（ｂ）に示すように、ねじ部材５の頭部５ａの周りに配置される部位である。穴部３５の内形状は、図２（ｃ）に示すように、略ひし形形状とされている。穴部３５は、対向する二辺同士が平行で相互に等しい長さの四つの辺３５ａを備えている。各辺３５ａには、ねじ部材５の頭部５ａの正六角形に適合する四つの溝部３１ａ，３１ｃ，３１ｄ，３１ｆが形成されている。また、隣接する二辺３５ａ同士が交わる部分となる穴部３５の上部中央には、頭部５ａの正六角形に適合する溝部３１ｂが形成されている。同様に、隣接する二辺３５ａ同士が交わる部分となる穴部３５の下部中央には、頭部５ａの正六角形に適合する溝部３１ｅが形成されている。このように、穴部３５は、上部側および下部側にそれぞれ三つの溝部（計六つの溝部）を有している。
このような第二基部３１は、ねじ部材５の頭部５ａに穴部３５を係合させて第一プレート２０の右側面２０ｃに取り付けられる。
【００３９】
本実施形態では、図４（ｂ）に示すように、頭部５ａの上部側の前後の角部５ａ１，５ａ２に、穴部３５の上部側の前後の溝部３１ａ，３１ｃが係合している。
また、頭部５ａの下部側の前後の角部５ａ３，５ａ４に、穴部３５の下部側の前後の溝部３１ｄ，３１ｆが係合している。
これにより、ねじ部材５の頭部５ａが第二基部３１によって回り止めされ、ねじ部材５の緩みが規制されている。
なお、ハンドル軸３に対するねじ部材５の頭部５ａの締め付け位置によっては、穴部３５の上部中央に位置する溝部３１ｂと下部中央に位置する溝部３１ｅとがねじ部材５の頭部５ａの角部に係合する場合がある。
ここで、穴部３５は、特許請求の範囲における「係合部」に相当する。
【００４０】
前延在部３２は、図４（ｂ）に示すように、アーム部１１の前方へ向けて延在している（図２（ｃ）参照）。前延在部３２の前端部３２ａは、第一プレート２０の前膨出部２２よりも前方に延在している。前端部３２ａは、図５に示すように、左側方へ折り曲げ形成されており、アーム部１１の前側の傾斜部１４に設けられた長孔部１４ａ内に進入している（図３参照）。
前延在部３２には、第一プレート２０の前膨出部２２のねじ挿通穴２２ｂに対応するねじ挿通穴３２ｂが形成されている。
【００４１】
一方、後延在部３３は、図４（ｂ）に示すように、アーム部１１の後方へ向けて延在している（図２（ｃ）参照）。後延在部３３の後端部３３ａは、第一プレート２０の後膨出部２３よりも後方に延在している。後端部３３ａは、図５に示すように、左側方へ折り曲げ形成されており、アーム部１１の後側の傾斜部１４に設けられた長孔部１４ａ内に進入している（図３参照）。
後延在部３３には、第一プレート２０の後膨出部２３のねじ挿通穴２３ｂに対応するねじ挿通穴３３ｂが形成されている。
【００４２】
以上のような第一プレート２０および第二プレート３０は、ハンドル軸３の先端部３ａにアーム部１１をねじ部材５で取り付けた後に、アーム部１１に対してそれぞれ取り付けられる。
第一プレート２０は、ねじ部材５の頭部５ａに第一基部２１の穴部２５を係合させて、アーム部１１の平板部１３の右側面１３ｃに取り付けられる。
また、第二プレート３０は、ねじ部材５の頭部５ａに第二基部３１の穴部３５を係合させて、第一プレート２０に重ねて取り付けられる。
【００４３】
両プレート２０、３０の固定は、固定部材としての固定ねじ４０、４０を締め付けることで行われる。固定ねじ４０は、第二プレート３０の各ねじ挿通穴３２ｂ，３３ｂから第一プレート２０の各ねじ挿通穴２２ｂ，２３ｂに通され、アーム部１１のねじ穴１３ｂ，１３ｂに螺合される。
なお、第一プレート２０は、固定ねじ４０の締め付けによって、第二プレート３０に押圧されるかたちでアーム部１１に圧接固定される。
また、固定ねじ４０，４０に代わるピン等によって第一プレート２０および第二プレート３０を固定してもよい。
【００４４】
以上説明した本実施形態では、第一プレート２０および第二プレート３０の２つのプレートによって、ハンドル軸３に連結されるアーム部１１の連結部分（平板部１３）が補強される。つまり、アーム部１１の板厚を分厚く設計することなく、ハンドル軸３に連結されるアーム部１１の連結部分を補強することができる。つまり、補強したい部分だけ好適に補強することができる。これにより、魚釣用リール全体の重量バランスが崩れるのを好適に防止することができる。また、良好な操作性を維持できるとともに、魚釣用リールの携帯性にも優れる。
【００４５】
また、第一プレート２０の穴部２５および第二プレート３０の穴部３５の両方が、ねじ部材５の頭部５ａの外周部に回り止め係合している。したがって、ハンドル軸３に連結されるアーム部１１の連結部分をより一層補強できる。これにより、高荷重の巻き取り操作時に不規則な力が連結部分に集中して作用したとしても、アーム部１１の変形を好適に抑制することができる。
【００４６】
また、第一プレート２０および第二プレート３０は、アーム部１１の装飾部材としても機能するため、ハンドル１０のデザイン性が向上する。また、例えば、第一プレート２０および第二プレート３０に彩色を施すことにより、アーム部１１のデザイン性がさらに向上する。
【００４７】
また、２つのプレート２０、３０の仕様を適宜設定することにより、製品仕様（リールの大きさ、釣種、価格帯等）に対応したアーム部１１の強度を好適に確保することができる。したがって、アーム部１１の部品の共有化を図りつつ、製品のバリエーションが多様に実現される。
【００４８】
また、第一プレート２０は、第二プレート３０の右側面２０ｃに当接する状態で取り付けられるので、第二プレート３０の取付状態が安定する。また、両プレート２０，３０が重ね合わされた状態で、第一プレート２０は、第二プレート３０の側方に露出する部分を備えるので、アーム部１１のデザイン性が向上する。
【００４９】
また、ねじ部材５の頭部５ａの周りに第一プレート２０の第一基部２１および第二プレート３０の第二基部３１が配設されるので、これらが配設されない場合に比べて頭部５ａの突出による段差が小さくなる。したがって、ハンドル１０の操作時に手指が頭部５ａに接触し難くなり、ハンドル１０の回転操作性が高まる。
【００５０】
（第２実施形態）
次に、図６〜図９を参照して第２実施形態の魚釣用リールのハンドルについて説明する。本実施形態が前記第１実施形態と異なるところは、第一プレート２０Ａおよび第二プレート３０Ａを小型化して用いている点である。
【００５１】
第一プレート２０Ａは、図６、図８（ａ）に示すように、平板部１３の右側面１３ｃに当接する状態に取り付けられるプレートである。第一プレート２０は、図７（ｂ）に示すように、内側に穴部２５が形成された環状の第一基部２１Ａと、第一基部２１Ａに連続して前方に突出する上下一対の前突出部２６ａ，２６ｂと、第一基部２１Ａに連続して後方に突出する上下一対の後突出部２７ａ，２７ｂと、を備えている。
【００５２】
第一基部２１Ａは、図７（ａ）、図８（ａ）に示すように、ねじ部材５の頭部５ａの周りに配置される部位である。穴部２５の内形状は、第１実施形態と同様に十二角形状（二重六角形状）とされている（図７（ｂ）参照）。
【００５３】
第一基部２１Ａの上部２１ａおよび下部２１ｂは、平板部１３の上縁部および下縁部の緩やかな円弧形状（図５参照）よりも曲率半径の小さい円弧状に形状されている。
また、上側の前突出部２６ａおよび上側の後突出部２７ａは、第一基部２１Ａの上部２１ａの円弧に連続する円弧状とされている。さらに、下側の前突出部２６ｂおよび下側の後突出部２７ｂは、第一基部２１Ａの下部２１ｂの円弧に連続する円弧状とされている。
【００５４】
第一基部２１Ａの前部下部および後部上部には、ねじ挿通穴２８ｂ，２８ｂが形成されている。ねじ挿通穴２８ｂ，２８ｂは、平板部１３に形成されたねじ穴１３ｂ，１３ｂ（図９参照）に対応して形成されている。
【００５５】
第一基部２１Ａの前方には、図７（ｂ）に示すように、前突出部２６ａの下辺と第一基部２１Ａの前辺と前突出部２６ｂの上辺とで仕切られる凹部２９ａが形成されている。凹部２９ａは前側の長孔部１４ａの形状に倣う形状とされている（図８（ａ）参照）。
第一基部２１Ａの後方には、後突出部２７ａの下辺と第一基部２１Ａの後辺と後突出部２７ｂの上辺とで仕切られる凹部２９ｂが形成されている。凹部２９ｂは後側の長孔部１４ａの形状に倣う形状とされている（図８（ａ）参照）。
【００５６】
第二プレート３０Ａは、図８（ｂ）に示すように、第一プレート２０Ａに重ねられて第一プレート２０Ａの右側面２０ｃに当接する状態に取り付けられるプレートである。第二プレート３０Ａは、図７（ｃ）に示すように、内側に穴部３５Ａが形成された環状を呈している。
【００５７】
第二プレート３０Ａは、図８（ｂ）に示すように、ねじ部材５の頭部５ａの周りに配置される。第二プレート３０Ａは、図７（ｃ）に示すように、対向する一対の円弧部３６と、円弧部３６の両側にそれぞれ連続する直線部３７と、を備えている。穴部３５Ａには、一対の円弧部３６，３６の内側となる部分に、ねじ部材５の頭部５ａの正六角形に適合する溝部３６ａが一つずつ形成されている。溝部３６ａの両側には、頭部５ａの正六角形の一辺に対応する傾斜辺３６ｂが形成されている。また、穴部３５Ａは、傾斜辺３６ｂに連続してねじ部材５の頭部５ａの正六角形に適合する上辺３４ａ、下辺３４ｂ、前辺３６ｃ、および後辺３６ｄを備えている。上辺３４ａと下辺３４ｂとは平行であり、前辺３６ｃと後辺３６ｄとは平行である。上辺３４ａと前辺３６ｃとは直交する関係にある。
【００５８】
本実施形態においても、第一プレート２０Ａおよび第二プレート３０Ａは、ハンドル軸３の先端部３ａにアーム部１１をねじ部材５で取り付けた後に、アーム部１１に対してそれぞれ取り付けられる。
この場合、第１実施形態と同様に、第一プレート２０Ａは、ねじ部材５の頭部５ａに第一基部２１Ａの穴部２５を係合させて、アーム部１１の平板部１３の右側面１３ｃに取り付けられる。
また、第二プレート３０Ａは、ねじ部材５の頭部５ａに第二基部３１Ａの穴部３５Ａを係合させて、第一プレート２０Ａに重ねて取り付けられる。
【００５９】
以上説明した本実施形態においても、前記第１実施形態と同様の作用効果が得られる。つまり、第一プレート２０Ａおよび第二プレート３０Ａの２つのプレートによって、ハンドル軸３に連結されるアーム部１１の連結部分（平板部１３）が補強される。つまり、アーム部１１の板厚を肉厚に設計することなく、ハンドル軸３に連結されるアーム部１１の連結部分を補強することができる。これにより、魚釣用リール全体の重量バランスが崩れるのを好適に防止することができる。また、良好な操作性を維持できるとともに、魚釣用リールの携帯性にも優れる。
【００６０】
また、第１実施形態のものに比べて第一プレート２０Ａおよび第二プレート３０Ａの形状が小さくなっているので、軽量化を図ることができる。したがって、アーム部１１の板厚を肉厚に設計することなく、ハンドル軸３に連結されるアーム部１１の連結部分をより好適に補強することができる。これにより、魚釣用リール全体の重量バランスが崩れるのをより好適に防止することができる。また、良好な操作性を維持できるとともに、魚釣用リールの携帯性にも優れる。
【００６１】
（第３実施形態）
次に、図１０〜図１３を参照して第３実施形態の魚釣用リールのハンドルについて説明する。本実施形態が前記第１、第２実施形態と異なるところは、アーム部１１Ａの全体が平面平板状に形成されており、その前後方向の広い範囲を覆うように第一プレート２０Ｂを取り付けた点である。
【００６２】
アーム部１１Ａは、図１３（ａ）（ｂ）に示すように、平面平板状を呈しており、リール本体１側の面に複数の凹部１６を備えている。これにより、アーム部１１Ａの軽量化が図られている。
アーム部１１Ａは、挿入孔１３ａにハンドル軸３の先端部３ａを挿通し、先端部３ａに螺合部材としてのナット５Ｂを螺合して締め付けることで、ハンドル軸３に連結される（図１０、図１３参照）。
【００６３】
第一プレート２０Ｂは、図１０〜図１２に示すように、アーム部１１Ｂの右側面１１ｃ（図１３参照）の略全体に当接する状態に取り付けられるプレートである。第一プレート２０Ｂは、アーム部１１Ｂの側面形状に倣う形状とされており、前後方向の中央部に穴部２５を備えている。穴部２５は、前記実施形態と同様に、十二個の溝部２５ａを備えた十二角形状（二重六角形状）とされている。
【００６４】
第一プレート２０Ｂの前部２０ｆおよび後部２０ｇには、図１１（ｂ）に示すように、ねじ挿通穴２２ｂ，２３ｂが形成されている。第一プレート２０Ｂの前端部および後端部には、挟持片２０ｅが連設されている。挟持片２０ｅは、図１０、図１２（ａ）（ｂ）に示すように、アーム部１１Ｂの前部および後部を上下方向に挟持している。
【００６５】
第二プレート３０Ｂは、図１０、図１１（ａ）、図１２（ａ）に示すように、第一プレート２０Ｂに重ねられて第一プレート２０Ｂの右側面２０ｃに当接する状態に取り付けられるプレートである。第二プレート３０Ｂは、図１１（ｃ）に示すように、内側に穴部２５が形成された環状の第二基部３１Ｂと、第二基部３１Ｂの前側に延在する前延在部３２Ｂと、第二基部３１Ｂの後側に延在する後延在部３３Ｂとを備えている。
【００６６】
第二基部３１Ｂは、第一プレート２０Ｂと同様の十二角形状（二重六角形状）の穴部２５を備えている。
前延在部３２Ｂには、第一プレート２０Ｂのねじ挿通穴２２ｂに対応するねじ挿通穴３２ｂが形成されている。また、後延在部３３Ｂには、第一プレート２０Ｂのねじ挿通穴２３ｂに対応するねじ挿通穴３３ｂが形成されている。
【００６７】
以上説明した本実施形態においても、前記第１実施形態と同様の作用効果が得られる。つまり、第一プレート２０Ｂおよび第二プレート３０Ｂの２つのプレートによって、ハンドル軸３に連結されるアーム部１１Ａの連結部分が補強される。つまり、アーム部１１Ｂの板厚を肉厚に設計することなく、ハンドル軸３に連結されるアーム部１１Ｂの連結部分を補強することができる。これにより、魚釣用リール全体の重量バランスが崩れるのを好適に防止することができる。また、良好な操作性を維持できるとともに、魚釣用リールの携帯性にも優れる。
【００６８】
また、第一プレート２０Ｂによりアーム部１１の略全体を補強することができる。これにより、アーム部１１に凹部１６を複数箇所設けた場合にもアーム部１１の強度が好適に確保され、軽量化を効果的に実現することができる。
【００６９】
以上、本発明の実施形態について説明したが、本発明は、上記した実施形態に限定されることはなく、種々変形することが可能である。
例えば、第１実施形態では、第一プレート２０および第二プレート３０の両方がねじ部材５の頭部５ａに係合する構成としたが、これに限られることはない。第一プレート２０および第二プレート３０の一方が頭部５ａに係合するように構成してもよい。
同様に、第２，第３実施形態において、第一プレート２０Ａ，２０Ｂおよび第二プレート３０Ａ，３０Ｂの一方が頭部５ａに係合するように構成してもよい。
【００７０】
また、第１実施形態では、第一プレート２０に第二プレート３０を重ねて取り付けたがが、これに限られることはない。例えば、第二プレート３０を先にアーム部１１に取り付け、第二プレート３０に第一プレート２０を重ねてもよい。
同様に、第２，第３実施形態において、第二プレート３０Ａ，３０Ｂを先にアーム部１１，１１Ｂに取り付け、第二プレート３０Ａ，３０Ｂに第一プレート２０Ａ，２０Ｂを重ねてもよい。
【００７１】
なお、第一プレート２０（２０Ａ，２０Ｂ）および第二プレート３０（３０Ａ，３０Ｂ）は、板状の金属材で形成され、適宜表面処理が施されているものを使用することが好ましいが、繊維強化樹脂や、補強芯材をインサート成形した板状の樹脂材の使用も可能である。
【００７２】
前記各実施形態では、本発明を両軸受型の魚釣用リールに適用した例を挙げたが、これに限られることはなく、魚釣用スピニングリールや他の形式の魚釣用リールに本発明を適用してもよい。
【符号の説明】
【００７３】
１      リール本体
２      スプール
３      ハンドル軸
５      ねじ部材（螺合部材）
５Ｂ    ナット（螺合部材）
５ａ    頭部
１０    ハンドル
１１，１１Ａ，１１Ｂ    アーム部
１２    ツマミ部
２０，２０Ａ，２０Ｂ    第一プレート
３０，３０Ａ，３０Ｂ    第二プレート
２５    穴部（係合部）
３０    第二プレート
３５    穴部（係合部）
４０    固定ねじ（固定部材）
【図１】
2018161099.tif 000003
【図２】
2018161099.tif 000004
【図３】
2018161099.tif 000005
【図４】
2018161099.tif 000006
【図５】
2018161099.tif 000007
【図６】
2018161099.tif 000008
【図７】
2018161099.tif 000009
【図８】
2018161099.tif 000010
【図９】
2018161099.tif 000011
【図１０】
2018161099.tif 000012
【図１１】
2018161099.tif 000013
【図１２】
2018161099.tif 000014
【図１３】
2018161099.tif 000015